(57)【特許請求の範囲】
【請求項１】
自局との間で無線通信を行う第一移動局への無線信号を送信する送信部と、
無線信号を受信する受信部と、
前記送信部によって送信される無線信号により干渉を受ける無線通信を自局とは異なる通信装置との間で行う第二移動局を、前記受信部によって受信された無線信号に含まれる前記第二移動局からの無線信号に基づいて検出する検出部と、
前記検出部によって前記第二移動局が検出された場合と、前記検出部によって前記第二移動局が所定期間以上検出されなかった場合と、に前記送信部による無線信号の送信電力を低下させる制御を行う制御部と、
を備え、前記制御部は、前記第一移動局への無線信号を第一送信電力によって送信する第一状態において前記第二移動局が前記検出部によって検出された場合に、前記第一移動局への無線信号を前記第一送信電力より低い第二送信電力によって送信する第二状態へ遷移し、前記第一状態において前記第二移動局が前記検出部によって前記所定期間以上検出されなかった場合に、前記第一移動局へのデータ信号の送信を停止する第三状態へ遷移することを特徴とする基地局。
【請求項２】
前記制御部は、
前記第三状態において前記第二移動局が検出された場合に前記第二状態へ遷移し、
前記第三状態において前記第二移動局が検出されなかった場合に前記第一状態へ遷移することを特徴とする請求項１に記載の基地局。
【請求項３】
前記制御部は、前記第二状態において前記第二移動局が所定期間以上検出されなかった場合に前記第一状態へ遷移することを特徴とする請求項１または２に記載の基地局。
【請求項４】
前記制御部は、前記第三状態において、前記第一移動局へのデータ信号の送信を間欠的に送信することを特徴とする請求項１〜３のいずれか一つに記載の基地局。
【請求項５】
前記制御部は、前記第三状態において、前記第一移動局への無線リソースの割り当てを停止することによって前記第一移動局へのデータ信号の送信を停止することを特徴とする請求項１〜４のいずれか一つに記載の基地局。
【請求項６】
前記制御部は、前記第一状態において前記第二移動局の検出を繰り返し行い、前記第二移動局が連続して所定回数検出されなかった場合に前記送信電力を低下させる制御を行うことを特徴とする請求項１〜５のいずれか一つに記載の基地局。
【請求項７】
前記制御部は、前記第一状態において前記送信電力を低下させる制御を定期的なタイミングで行うことを特徴とする請求項１〜５のいずれか一つに記載の基地局。
【請求項８】
前記タイミングの周期の長さは、前記第二移動局による無線通信の周期の長さと互いに素であることを特徴とする請求項７に記載の基地局。
【請求項９】
前記制御部は、前記第二状態において前記第二移動局が所定期間以上検出されなかった場合に前記第三状態へ遷移することを特徴とする請求項１に記載の基地局。
【請求項１０】
前記制御部は、前記第二状態から遷移した前記第三状態において前記第二移動局が検出された場合は、前記第二送信電力を低下させて前記第二状態へ遷移することを特徴とする請求項９に記載の基地局。
【請求項１１】
第一移動局と、
前記第一移動局との間で無線通信を行い、前記第一移動局への無線信号を送信する基地局と、
前記基地局によって送信された前記第一移動局への無線信号により干渉を受ける無線通信を、前記基地局とは異なる通信装置との間で行う第二移動局と、
を含み、
前記基地局は、受信した無線信号に含まれる前記第二移動局からの無線信号に基づいて前記第二移動局を検出し、前記第二移動局を検出した場合と、前記第二移動局を所定期間以上検出しなかった場合と、に前記第一移動局への無線信号の送信電力を低下させる制御を行い、前記制御において、前記第一移動局への無線信号を第一送信電力によって送信する第一状態において前記第二移動局を検出した場合に、前記第一移動局への無線信号を前記第一送信電力より低い第二送信電力によって送信する第二状態へ遷移し、前記第一状態において前記第二移動局を前記所定期間以上検出しなかった場合に、前記第一移動局へのデータ信号の送信を停止する第三状態へ遷移することを特徴とする通信システム。
【請求項１２】
第一移動局と、前記第一移動局との間で無線通信を行い、前記第一移動局への無線信号を送信する基地局と、前記基地局によって送信された前記第一移動局への無線信号により干渉を受ける無線通信を前記基地局とは異なる通信装置との間で行う第二移動局と、を含む通信システムの通信方法において、
前記基地局が、受信した無線信号に含まれる前記第二移動局からの無線信号に基づいて前記第二移動局を検出し、
前記基地局が、前記第二移動局を検出した場合と、前記第二移動局を所定期間以上検出しなかった場合と、に前記第一移動局への無線信号の送信電力を低下させる制御を行い、前記制御において、前記第一移動局への無線信号を第一送信電力によって送信する第一状態において前記第二移動局を検出した場合に、前記第一移動局への無線信号を前記第一送信電力より低い第二送信電力によって送信する第二状態へ遷移し、前記第一状態において前記第二移動局を前記所定期間以上検出しなかった場合に、前記第一移動局へのデータ信号の送信を停止する第三状態へ遷移することを特徴とする通信方法。
【請求項１３】
自局との間で無線通信を行う第一移動局への無線信号を送信する送信部と、
無線信号を受信する受信部と、
前記送信部によって送信される無線信号により干渉を受ける無線通信を自局とは異なる通信装置との間で行う第二移動局を、前記受信部によって受信された無線信号に含まれる前記第二移動局からの無線信号に基づいて検出する検出部と、
前記検出部によって前記第二移動局が検出された場合と、前記検出部によって前記第二移動局が所定期間以上検出されなかった場合と、に前記送信部による無線信号の送信電力を低下させる制御を行う制御部と、
を備え、前記制御部は、前記第一移動局への無線信号を第一送信電力によって送信する第一状態において前記第二移動局が前記検出部によって検出された場合に、前記第一移動局への無線信号を前記第一送信電力より低い第二送信電力によって送信する第二状態へ遷移し、前記第一状態において前記第二移動局が前記検出部によって前記所定期間以上検出されなかった場合に前記第二状態へ遷移することを特徴とする基地局。
【請求項１４】
第一移動局と、
前記第一移動局との間で無線通信を行い、前記第一移動局への無線信号を送信する基地局と、
前記基地局によって送信された前記第一移動局への無線信号により干渉を受ける無線通信を、前記基地局とは異なる通信装置との間で行う第二移動局と、
を含み、
前記基地局は、受信した無線信号に含まれる前記第二移動局からの無線信号に基づいて前記第二移動局を検出し、前記第二移動局を検出した場合と、前記第二移動局を所定期間以上検出しなかった場合と、に前記第一移動局への無線信号の送信電力を低下させる制御を行い、前記制御において、前記第一移動局への無線信号を第一送信電力によって送信する第一状態において前記第二移動局を検出した場合に、前記第一移動局への無線信号を前記第一送信電力より低い第二送信電力によって送信する第二状態へ遷移し、前記第一状態において前記第二移動局を前記所定期間以上検出しなかった場合に前記第二状態へ遷移することを特徴とする通信システム。
【請求項１５】
第一移動局と、前記第一移動局との間で無線通信を行い、前記第一移動局への無線信号を送信する基地局と、前記基地局によって送信された前記第一移動局への無線信号により干渉を受ける無線通信を前記基地局とは異なる通信装置との間で行う第二移動局と、を含む通信システムの通信方法において、
前記基地局が、受信した無線信号に含まれる前記第二移動局からの無線信号に基づいて前記第二移動局を検出し、
前記基地局が、前記第二移動局を検出した場合と、前記第二移動局を所定期間以上検出しなかった場合と、に前記第一移動局への無線信号の送信電力を低下させる制御を行い、前記制御において、前記第一移動局への無線信号を第一送信電力によって送信する第一状態において前記第二移動局を検出した場合に、前記第一移動局への無線信号を前記第一送信電力より低い第二送信電力によって送信する第二状態へ遷移し、前記第一状態において前記第二移動局を前記所定期間以上検出しなかった場合に前記第二状態へ遷移することを特徴とする通信方法。
【発明の詳細な説明】
【技術分野】
【０００１】
本発明は、基地局、通信システムおよび通信方法に関する。
【背景技術】
【０００２】
フェムト基地局（ＨｅＮＢ：Ｈｏｍｅ  ｅＮｏｄｅ  Ｂ）がフェムトセルを形成し、契約したユーザのみがフェムト基地局に接続できるサービスがある。フェムトセルは、マクロ基地局（ＭｅＮＢ：Ｍａｃｒｏ  ｅｖｏｌｕｔｉｏｎａｌ  Ｎｏｄｅ  Ｂ）により形成されるマクロセル内に形成されることもある。
【０００３】
フェムトセルに接続できないマクロＵＥ（ＭＵＥ：Ｍａｃｒｏ  Ｕｓｅｒ  Ｅｑｕｉｐｍｅｎｔ）がフェムト基地局の近辺に存在する場合は、フェムト基地局からの干渉によりマクロＵＥのＳＩＮＲ（Ｓｉｇｎａｌ  ｔｏ  Ｉｎｔｅｒｆｅｒｅｎｃｅ  ａｎｄ  Ｎｏｉｓｅ  Ｒａｔｉｏ：信号対干渉雑音比）が劣化する。
【０００４】
このようなマクロＵＥは、たとえばビクティムＵＥ（Ｖｉｃｔｉｍ  ＵＥ）と呼ばれる。これに対して、フェムト基地局の送信電力を下げることによりビクティムＵＥの干渉を低下させてＳＩＮＲを向上させる方法が３ＧＰＰにおいて検討されている。たとえば、フェムト基地局がマクロ基地局の送信信号を受信して、受信電力が小さい場合にはビクティムＵＥの受信電力も小さい可能性が高いため、フェムト基地局の送信電力を小さくすることが考えられる。
【０００５】
しかし、ビクティムＵＥが存在しない場合に送信電力を小さくすると、フェムトセルのスループットが無駄に低下することになる。そこで、ビクティムＵＥを検出して送信電力低下の要否を判定することが検討されている（たとえば、下記特許文献１，２参照。）。そのために、たとえば、ビクティムＵＥが送信する上り信号をフェムト基地局で受信して、受信電力に基づいてビクティムＵＥの存在を判定することが考えられる。
【先行技術文献】
【特許文献】
【０００６】
【特許文献１】特開２０１０−２８３８２６号公報
【特許文献２】特開２０１０−４１８７号公報
【発明の概要】
【発明が解決しようとする課題】
【０００７】
しかしながら、上述した従来技術では、ビクティムＵＥは、フェムト基地局からの干渉によりマクロ基地局からの制御チャネル（上り信号送信許可情報など）を受信できない場合には上り信号を送信できない。このため、ビクティムＵＥが存在していてもビクティムＵＥが検出されず、フェムト基地局の送信電力が低下しないことにより、ビクティムＵＥへの干渉を低減することができない場合がある。
【０００８】
本発明は、上述した従来技術による問題点を解消するため、干渉を低減することができる基地局、通信システムおよび通信方法を提供することを目的とする。
【課題を解決するための手段】
【０００９】
上述した課題を解決し、目的を達成するため、本発明の一側面によれば、第一移動局と、前記第一移動局との間で無線通信を行い、前記第一移動局への無線信号を送信する第一基地局と、前記第一基地局によって送信された前記第一移動局への無線信号により干渉を受ける無線通信を前記第一基地局とは異なる第二基地局との間で行う第二移動局と、を含む通信システムにおいて、前記第一基地局が、受信した無線信号に含まれる前記第二移動局からの無線信号に基づいて前記第二移動局を検出し、前記第一基地局が、前記第二移動局を検出した場合と、前記第二移動局を所定期間以上検出しなかった場合と、に前記第一移動局への無線信号の送信電力を低下させる基地局、通信システムおよび通信方法が提案される。
【発明の効果】
【００１０】
本発明の一側面によれば、干渉を低減することができるという効果を奏する。
【図面の簡単な説明】
【００１１】
【図１】図１は、実施の形態１にかかる通信システムの構成例を示す図である。
【図２】図２は、基地局のハードウェア構成の一例を示す図である。
【図３】図３は、通信システムの適用例を示す図である。
【図４−１】図４−１は、下り信号のフレームフォーマットの一例を示す図である。
【図４−２】図４−２は、サブフレーム内のフレームフォーマットの一例を示す図である。
【図５】図５は、フェムト基地局の構成の一例を示す図である。
【図６】図６は、実施の形態１にかかるフェムト基地局の状態遷移の一例を示す図である。
【図７】図７は、フェムト基地局の動作の一例を示すフローチャートである。
【図８】図８は、実施の形態２にかかるフェムト基地局の状態遷移の一例を示す図である。
【図９】図９は、実施の形態２にかかるフェムト基地局の動作の一例を示すフローチャートである。
【図１０】図１０は、実施の形態３にかかるフェムト基地局の状態遷移の一例を示す図である。
【図１１】図１１は、実施の形態３にかかるフェムト基地局の動作の一例を示すフローチャートである。
【発明を実施するための形態】
【００１２】
以下に添付図面を参照して、本発明にかかる基地局、通信システムおよび通信方法の実施の形態を詳細に説明する。
【００１３】
（実施の形態１）
図１は、実施の形態１にかかる通信システムの構成例を示す図である。実施の形態１にかかる通信システム１００は、基地局１１０と、第一移動局１２０と、基地局１３０と、第二移動局１４０と、を含んでいる。基地局１１０は、第一移動局１２０との間で無線通信を行う。第一移動局１２０は複数存在していてもよい。基地局１３０は、第二移動局１４０との間で無線通信を行う。第二移動局１４０は複数存在していてもよい。
【００１４】
第二移動局１４０が基地局１３０との間で行う無線通信は、基地局１１０から第一移動局１２０へ送信される無線信号によって干渉を受ける無線通信である。たとえば、第二移動局１４０が基地局１３０との間で行う無線通信は、基地局１１０が第一移動局１２０との間で行う無線通信と同じ周波数帯域を使用する無線通信である。そして、第二移動局１４０は、基地局１１０との間で無線通信ができない移動局である。このため、第二移動局１４０は、基地局１３０との間で無線通信を行うが、基地局１１０から第一移動局１２０への無線信号により下りリンク干渉を受けることになる。
【００１５】
基地局１１０は、送信部１１１と、受信部１１２と、検出部１１３と、制御部１１４と、を備えている。送信部１１１は、第一移動局１２０への無線信号を送信する。送信部１１１が送信する第一移動局１２０への無線信号は、基地局１３０と第二移動局１４０との間の無線通信に干渉する。
【００１６】
受信部１１２は、周囲からの無線信号を受信する。受信部１１２が受信する信号には、たとえば、第一移動局１２０から基地局１１０への信号や、基地局１３０と第二移動局１４０との間で送受信される信号が含まれる。受信部１１２は、受信した信号を検出部１１３へ出力する。
【００１７】
検出部１１３は、受信部１１２から出力された信号に含まれる第二移動局１４０からの無線信号に基づいて第二移動局１４０を検出する。たとえば、検出部１１３は、受信部１１２から出力された信号に含まれる上り方向の無線信号の干渉電力を測定することによって、第二移動局１４０からの無線信号の受信電力を測定し、測定結果に基づいて第二移動局１４０を検出する。たとえば、検出部１１３は、干渉電力を連続して複数回測定し、複数回の測定において測定結果の干渉電力が閾値を超えた回数に基づいて第二移動局１４０を検出する。検出部１１３は、検出結果を制御部１１４へ出力する。
【００１８】
制御部１１４は、検出部１１３から出力された検出結果に基づいて、送信部１１１による無線信号の送信電力を制御する。具体的には、制御部１１４は、第二移動局１４０が検出された場合と、検出部１１３によって第二移動局１４０が所定期間以上検出されなかった場合と、に送信部１１１による無線信号の送信電力を低下させる。なお、制御部１１４は、無線信号の送信電力をゼロまで低下（無線信号の送信を停止）させてもよい。
【００１９】
たとえば、制御部１１４は、第一状態、第二状態および第三状態のいずれかに遷移する。第一状態においては、制御部１１４は、送信部１１１に対して、第一移動局１２０への無線信号を第一送信電力によって送信させる。第二状態においては、制御部１１４は、送信部１１１に対して、第一移動局１２０への無線信号を、第一送信電力より低い第二送信電力によって送信させる。
【００２０】
第三状態においては、制御部１１４は、送信部１１１に対して、第一移動局１２０への無線信号のうちの少なくともデータ信号の送信を停止させる。たとえば、制御部１１４は、第三状態において、第一移動局１２０への無線リソースの割り当て（スケジューリング）を停止する。これにより、たとえば第一移動局１２０への通知などを行わなくても、第一移動局１２０へのデータ信号の送信を簡単な制御によって停止することができる。無線リソースは、たとえば時間リソースや周波数リソースである。
【００２１】
制御部１１４は、送信電力が比較的高い第一状態において第二移動局１４０が検出された場合に、第二状態へ遷移する。これにより、第二移動局１４０が検出された場合に基地局１１０の送信電力を低下させ、第二移動局１４０と基地局１３０との間の無線通信への干渉を低減することができる。このため、第二移動局１４０への干渉を低減し、第二移動局１４０のスループットを向上させることができる。
【００２２】
また、制御部１１４は、送信電力が比較的高い第一状態において第二移動局１４０が所定期間以上検出されなかった場合に、第三状態へ遷移する。これにより、基地局１１０の送信電力が低下し、たとえば基地局１３０からの制御信号（たとえば上り信号送信許可情報）を第二移動局１４０が受信しやすくなるため、第二移動局１４０が基地局１３０への無線信号を送信しやすくなる。このため、第二移動局１４０からの無線信号に基づく第二移動局１４０の検出を精度よく行うことができる。
【００２３】
また、制御部１１４は、第二移動局１４０の検出を行いやすい第三状態において第二移動局１４０が検出された場合は、第二状態へ遷移する。これにより、基地局１１０の送信電力を低下させて第二移動局１４０の無線通信への干渉を低減しつつ、長時間にわたって第三状態になって基地局１１０と第一移動局１２０との間の無線通信のスループットが低下することを回避することができる。
【００２４】
また、制御部１１４は、第二移動局１４０の検出を行いやすい第三状態において第二移動局１４０が検出されなかった場合は、第一状態へ遷移する。これにより、第二移動局１４０が存在しないにも関わらず、長時間にわたって第三状態になって基地局１１０と第一移動局１２０との間の無線通信のスループットが低下することを回避することができる。
【００２５】
また、制御部１１４は、送信電力を低下させる第二状態において第二移動局１４０が所定期間以上検出されなかった場合に第一状態へ遷移する。これにより、第二移動局１４０が存在しないにも関わらず、長時間にわたって第二状態になって基地局１１０と第一移動局１２０との間の無線通信のスループットが低下することを回避することができる。
【００２６】
また、制御部１１４は、第三状態において、第一移動局１２０へのデータ信号以外の無線信号については送信部１１１から送信させてもよい。データ信号以外の無線信号には、たとえば、リファレンスシグナル、制御チャネル、共通チャネルなどがある。これらのデータ信号以外の無線信号は、データ信号に比べて割り当てられる時間リソースなどが少ないため、送信したとしても送信電力は小さい。このため、第二移動局１４０の無線通信への干渉を低減しつつ、データ信号以外の無線信号については送信することができる。
【００２７】
また、制御部１１４は、第三状態において、送信部１１１に対して、第一移動局１２０へのデータ信号の送信を間欠的に送信させてもよい。すなわち、制御部１１４は、第三状態において、送信部１１１による第一移動局１２０へのデータ信号の送信を間欠的に停止してもよい。これにより、たとえば、基地局１１０によるデータ信号が停止しているタイミングにおいて、第二移動局１４０が基地局１３０からの制御信号を受信して基地局１３０への無線信号を送信することができる。
【００２８】
なお、ここでは第二移動局１４０が基地局１３０との間で無線通信を行う場合について説明したが、第二移動局１４０の通信先は基地局１３０とは異なる通信装置であってもよい。たとえば、第二移動局１４０の通信先は、第一移動局１２０および第二移動局１４０とは異なる移動局であってもよい（たとえばアドホック通信）。この場合は、通信システム１００には基地局１３０が含まれていなくてもよい。
【００２９】
また、ここでは制御部１１４が第一状態、第二状態および第三状態に遷移する場合について説明したが、制御部１１４が第一状態および第二状態に遷移してもよい。たとえば、制御部１１４は、第一状態において第二移動局１４０が所定期間以上検出されなかった場合に第二状態へ遷移する。この場合も、基地局１１０の送信電力が低下し、たとえば基地局１３０からの制御信号（たとえば上り信号送信許可情報）を第二移動局１４０が受信しやすくなるため、第二移動局１４０が基地局１３０への無線信号を送信しやすくなる。
【００３０】
（基地局のハードウェア構成）
図２は、基地局のハードウェア構成の一例を示す図である。図１に示した基地局１１０は、たとえば図２に示す情報処理装置２００によって実現することができる。情報処理装置２００は、ＣＰＵ２０１と、メモリ２０２と、ユーザインタフェース２０３と、有線通信インタフェース２０４と、無線通信インタフェース２０５と、を備えている。ＣＰＵ２０１、メモリ２０２、ユーザインタフェース２０３、有線通信インタフェース２０４および無線通信インタフェース２０５は、バス２０９によって接続されている。
【００３１】
ＣＰＵ２０１（Ｃｅｎｔｒａｌ  Ｐｒｏｃｅｓｓｉｎｇ  Ｕｎｉｔ）は、情報処理装置２００の全体の制御を司る。メモリ２０２には、たとえばメインメモリおよび補助メモリが含まれる。メインメモリは、たとえばＲＡＭ（Ｒａｎｄｏｍ  Ａｃｃｅｓｓ  Ｍｅｍｏｒｙ）である。メインメモリは、ＣＰＵ２０１のワークエリアとして使用される。補助メモリは、たとえば、ハードディスク、光ディスク、フラッシュメモリなどの不揮発メモリである。補助メモリには、情報処理装置２００を動作させる各種のプログラムが記憶されている。補助メモリに記憶されたプログラムは、メインメモリにロードされてＣＰＵ２０１によって実行される。
【００３２】
ユーザインタフェース２０３は、たとえば、ユーザからの操作入力を受け付ける入力デバイスや、ユーザへ情報を出力する出力デバイスなどを含む。入力デバイスは、たとえばキー（たとえばキーボード）やリモコンなどによって実現することができる。出力デバイスは、たとえばディスプレイやスピーカなどによって実現することができる。また、タッチパネルなどによって入力デバイスおよび出力デバイスを実現してもよい。ユーザインタフェース２０３は、ＣＰＵ２０１によって制御される。
【００３３】
有線通信インタフェース２０４は、有線によって情報処理装置２００の外部（たとえばコアネットワーク）との間で通信を行う通信インタフェースである。無線通信インタフェース２０５は、無線によって情報処理装置２００の外部（たとえば第一移動局１２０）との間で通信を行う通信インタフェースである。有線通信インタフェース２０４および無線通信インタフェース２０５は、ＣＰＵ２０１によって制御される。
【００３４】
図１に示した送信部１１１および受信部１１２は、たとえば無線通信インタフェース２０５によって実現することができる。図１に示した検出部１１３および制御部１１４は、たとえばＣＰＵ２０１によって実現することができる。
【００３５】
（通信システムの適用例）
図３は、通信システムの適用例を示す図である。図３に示す通信システム３００は、図１に示した通信システム１００をＬＴＥ（Ｌｏｎｇ  Ｔｅｒｍ  Ｅｖｏｌｕｔｉｏｎ）に適用した通信システムである。ただし、図１に示した通信システム１００は、ＬＴＥに限らず他の無線通信システムに適用することもできる。
【００３６】
通信システム３００は、マクロ基地局３１０と、マクロＵＥ３２０と、フェムト基地局３３０と、フェムトＵＥ３４０と、を含んでいる。マクロセル３１１は、マクロ基地局３１０のセル（カバーエリア）である。フェムトセル３３１は、フェムト基地局３３０のセルである。フェムト基地局３３０は、たとえば、登録済み（たとえばユーザが契約済み）のフェムトＵＥ３４０とは無線通信を行うが、登録済みでないマクロＵＥ３２０とは無線通信を行わない。
【００３７】
マクロＵＥ３２０は、マクロセル３１１に在圏しており、マクロ基地局３１０との間で無線通信を行う。また、マクロＵＥ３２０は、フェムトセル３３１にも在圏しているが、フェムト基地局３３０との間では無線通信を行うことができない。この場合は、マクロＵＥ３２０は、マクロ基地局３１０からの信号受信３１２において、フェムト基地局３３０からの干渉３３２を受けるビクティムＵＥとなる。
【００３８】
図１に示した基地局１１０はたとえばフェムト基地局３３０に適用することができる。図１に示した第一移動局１２０はたとえばフェムトＵＥ３４０に適用することができる。図１に示した基地局１３０はたとえばマクロ基地局３１０に適用することができる。図１に示した第二移動局１４０はたとえばマクロＵＥ３２０に適用することができる。
【００３９】
（下り信号のフレームフォーマット）
図４−１は、下り信号のフレームフォーマットの一例を示す図である。図４−１に示すフレームフォーマット４１０は、フェムト基地局３３０からフェムトＵＥ３４０への下り信号のフレームフォーマットである。ここではＬＴＥにおける下り信号のフレームフォーマットを一例として説明する。
【００４０】
フレームフォーマット４１０において、横方向はサブフレーム（ｓｕｂｆｒａｍｅ）を示し、縦方向はリソースブロック（ＲＢ：Ｒｅｓｏｕｒｃｅ  Ｂｌｏｃｋ）を示している。サブフレームは時間リソースであり、リソースブロックは周波数リソースである。フレームフォーマット４１０に示すように、下り信号はリソースブロックおよびサブフレームを単位として送信される。横軸のサブフレーム＃１〜＃７，…は、たとえばそれぞれ１［ｍｓ］のサブフレームである。縦軸のリソースブロックは、たとえば１８０［ｋＨｚ］の周波数帯域を１２個に分割したサブキャリアである。
【００４１】
図４−２は、サブフレーム内のフレームフォーマットの一例を示す図である。図４−２に示すフレームフォーマット４２０は、図４−１に示したサブフレーム＃１におけるフレームフォーマットを示している。ただし、図４−１に示したサブフレーム＃２〜＃７，…におけるフレームフォーマットについても同様である。
【００４２】
フレームフォーマット４２０に示すように、１つのサブフレームは１４個のＯＦＤＭシンボルを含む。サブフレームの先頭の１〜３個目のＯＦＤＭシンボルは制御チャネル４２１となっており、サブフレームの４〜１４個目までのＯＦＤＭシンボルはデータチャネル４２２となっている。
【００４３】
データチャネル４２２は、たとえばＰＤＳＣＨ（Ｐｈｙｓｉｃａｌ  Ｄｏｗｎｌｉｎｋ  Ｓｈａｒｅｄ  Ｃｈａｎｎｅｌ：物理下りリンク共有チャネル）である。マクロＵＥ３２０は、制御チャネル４２１を受信し、受信した制御チャネル４２１に基づいてデータチャネル４２２の復調および復号を行う。
【００４４】
（フェムト基地局の構成）
図５は、フェムト基地局の構成の一例を示す図である。図５に示すように、フェムト基地局３３０は、たとえば、受信アンテナ５０１と、受信機５０２と、上りデータ復調復号部５０３と、上位レイヤ処理部５０４と、下りデータ符号化変調部５０５と、上り干渉電力測定部５０６と、判定部５０７と、状態遷移管理部５０８と、送信電力決定部５０９と、下り信号送信部５１０と、送信機５１１と、送信アンテナ５１２と、を備えている。
【００４５】
受信アンテナ５０１は、無線信号を受信する。受信アンテナ５０１が受信する無線信号には、たとえば、フェムトＵＥ３４０からの上り信号や、マクロＵＥ３２０からの上り信号が含まれる。受信アンテナ５０１は、受信した信号を受信機５０２へ出力する。
【００４６】
受信機５０２は、受信アンテナ５０１から出力された信号をＲＦ（Ｒａｄｉｏ  Ｆｒｅｑｕｅｎｃｙ：高周波）帯からベースバンド帯へ変換する。受信機５０２は、ベースバンド帯へ変換した信号を上りデータ復調復号部５０３および上り干渉電力測定部５０６へ出力する。
【００４７】
上りデータ復調復号部５０３は、受信機５０２から出力された信号に含まれるフェムトＵＥ３４０からの上り信号を復調し、復調結果を復号する。上りデータ復調復号部５０３は、復号により得られたフェムトＵＥ３４０からの上りデータを上位レイヤ処理部５０４へ出力する。
【００４８】
上位レイヤ処理部５０４は、上りデータ復調復号部５０３から出力された上りデータについて上位レイヤの処理を行う。たとえば、上位レイヤ処理部５０４は、上りデータをコアネットワークへ送信する。また、上位レイヤ処理部５０４は、上位レイヤの処理によってフェムトＵＥ３４０への下りデータを取得する。たとえば、上位レイヤ処理部５０４は、コアネットワークから送信されたフェムトＵＥ３４０への下りデータを取得し、取得した下りデータを下りデータ符号化変調部５０５へ出力する。
【００４９】
下りデータ符号化変調部５０５は、上位レイヤ処理部５０４から出力された下りデータを符号化し、符号化結果を変調する。下りデータ符号化変調部５０５は、変調により得られた信号を下り信号送信部５１０へ出力する。
【００５０】
上り干渉電力測定部５０６は、受信機５０２から出力された信号に含まれる、フェムトＵＥ３４０からの上り信号に対する干渉電力を測定する。たとえば、上り干渉電力測定部５０６は、フェムトＵＥ３４０からの上り信号に含まれる既知の信号（たとえばリファレンスシグナル）に基づいて干渉電力を測定する。具体的には、上り干渉電力測定部５０６は、受信機５０２から出力された上り信号から既知の信号成分を減算することによって干渉電力を測定することができる。上り干渉電力測定部５０６による干渉電力の測定は、たとえばサブフレームごとに行われる。上り干渉電力測定部５０６は、測定した干渉電力を判定部５０７へ通知する。
【００５１】
判定部５０７は、上り干渉電力測定部５０６から干渉電力が通知されるごとに、通知された干渉電力と所定の閾値とを比較する。そして、判定部５０７は、最近のＮ回（Ｎは自然数）の比較において干渉電力が閾値を超えた回数がＭ１回以上である場合は、ビクティムＵＥ（マクロＵＥ３２０）が存在すると判定する。また、判定部５０７は、最近のＮ回の比較において干渉電力が閾値を超えた回数がＭ２回未満である場合は、ビクティムＵＥが存在しないと判定する。
【００５２】
なお、Ｍ１＝Ｍ２である。ただし、Ｍ１＞Ｍ２であってもよい。この場合は、判定部５０７は、最近のＮ回の比較において干渉電力が閾値を超えた回数がＭ１回未満かつＭ２回以上である場合は、ビクティムＵＥが存在するともしないとも判定せず、送信電力の制御状態を維持する。判定部５０７は、判定結果を状態遷移管理部５０８へ通知する。
【００５３】
状態遷移管理部５０８は、判定部５０７から通知された判定結果に基づいて、フェムト基地局３３０の送信状態を、高送信電力状態、低送信電力状態および送信電力停止状態の中から選択する。高送信電力状態、低送信電力状態および送信電力停止状態は、それぞれ上述した第一状態、第二状態および第三状態に対応する状態である。状態遷移管理部５０８は、選択した送信状態を送信電力決定部５０９へ通知する。
【００５４】
送信電力決定部５０９は、状態遷移管理部５０８から通知された送信状態に応じて、フェムト基地局３３０の下りの送信電力を決定する。たとえば、送信電力決定部５０９は、低送信電力時の送信電力を、最隣接のマクロ基地局３１０からの伝搬ロスに基づいて決定する。すなわち、マクロ基地局３１０からの伝搬ロスが大きい場合にはビクティムＵＥが受信できる信号電力が小さくなるため、ビクティムＵＥの干渉に対する耐性が小さくなる。そのため、フェムト基地局３３０の送信電力を小さくすることが求められる。
【００５５】
たとえば、フェムト基地局３３０におけるマクロ基地局３１０からの受信電力をＰ＿ＲＸとすると、送信電力決定部５０９は、フェムト基地局３３０の送信電力Ｐ＿ＴＸを、Ｐ＿ＴＸ＝ｍｉｎ（Ｐ＿ＭＡＸ，ａ×Ｐ＿ＲＸ＋ｂ）によって決定する。Ｐ＿ＭＡＸは、フェムト基地局３３０が送信可能な最大の送信電力である。ａおよびｂは定数である。
【００５６】
フェムトセル３３１のスループットを重視する場合には、係数ａ，ｂを大きくしてフェムトセル３３１の送信電力を大きくすればよい。また、ビクティムＵＥの保護を重視する場合には、ａ，ｂを小さくしてフェムトセル３３１の送信電力を小さくすればよい。送信電力決定部５０９は、決定した送信電力を下り信号送信部５１０へ通知する。
【００５７】
下り信号送信部５１０は、送信電力決定部５０９から通知された送信電力となるように、下りデータ符号化変調部５０５から出力された信号を増幅する。そして、下り信号送信部５１０は、増幅した信号を送信機５１１へ出力する。
【００５８】
送信機５１１は、下り信号送信部５１０から出力された信号をベースバンド帯からＲＦ帯へ変換する。送信機５１１は、ＲＦ帯に変換した信号を送信アンテナ５１２へ出力する。送信アンテナ５１２は、送信機５１１から出力された無線信号を送信する。
【００５９】
図１に示した送信部１１１は、たとえば送信機５１１および送信アンテナ５１２によって実現することができる。図１に示した受信部１１２は、たとえば受信アンテナ５０１および受信機５０２によって実現することができる。図１に示した検出部１１３は、たとえば上り干渉電力測定部５０６および判定部５０７によって実現することができる。図１に示した制御部１１４は、たとえば状態遷移管理部５０８、送信電力決定部５０９および下り信号送信部５１０によって実現することができる。
【００６０】
（フェムト基地局の状態遷移）
図６は、実施の形態１にかかるフェムト基地局の状態遷移の一例を示す図である。図６に示すように、フェムト基地局３３０は、高送信電力状態６１０、低送信電力状態６２０および送信電力停止状態６３０に遷移可能である。高送信電力状態６１０におけるフェムト基地局３３０の送信電力をＰ＿Ｈとする。低送信電力状態６２０におけるフェムト基地局３３０の送信電力をＰ＿Ｌとする。動作開始時において、フェムト基地局３３０はたとえば高送信電力状態６１０に遷移する。
【００６１】
＜高送信電力状態におけるフェムト基地局の動作＞
フェムト基地局３３０は、高送信電力状態６１０においてビクティムＵＥを検出すると、符号６１１に示すように速やかに低送信電力状態６２０へ遷移する。これにより、検出したビクティムＵＥへの干渉を低減することができる。また、高送信電力状態６１０においてビクティムＵＥが所定回数以上連続して検出されなかった場合（連続不検出）は、ビクティムＵＥが制御チャネルを受信できずに上り信号を送信できない状況が考えられる。このため、フェムト基地局３３０は、符号６１２に示すように送信電力停止状態６３０に遷移する。これにより、ビクティムＵＥを検出しやすくすることができる。
【００６２】
このように、フェムト基地局３３０は、高送信電力状態６１０においてビクティムＵＥの検出を繰り返し行い、ビクティムＵＥが連続して所定回数検出されなかった場合に、送信電力停止状態６３０へ遷移して送信電力を低下させる。
【００６３】
＜低送信電力状態におけるフェムト基地局の動作＞
フェムト基地局３３０は、低送信電力状態６２０においてビクティムＵＥを検出すると、符号６２１に示すように低送信電力状態６２０を維持する。これにより、検出したビクティムＵＥへの干渉を低減することができる。低送信電力状態６２０においてビクティムＵＥが一定時間以上連続して検出されなかった場合（連続不検出）は、ビクティムＵＥが存在しなくなったと判断することができる。このため、フェムト基地局３３０は、符号６２２に示すように高送信電力状態６１０へ遷移する。
【００６４】
＜送信電力停止状態におけるフェムト基地局の動作＞
フェムト基地局３３０は、送信電力停止状態６３０においてビクティムＵＥを検出すると、符号６３１に示すように速やかに低送信電力状態６２０へ遷移する。これにより、検出したビクティムＵＥへの干渉を低減するとともに、送信電力停止状態６３０を長時間継続することによるスループットの低下を抑えることができる。
【００６５】
送信電力停止状態６３０においてビクティムＵＥが検出されなかった場合は、ビクティムＵＥが存在しないと判断することができる。このため、フェムト基地局３３０は、符号６３２に示すように速やかに高送信電力状態６１０へ遷移する。これにより、送信電力停止状態６３０を長時間継続することによるスループットの低下を抑えることができる。
【００６６】
（フェムト基地局の動作）
図７は、フェムト基地局の動作の一例を示すフローチャートである。フェムト基地局３３０は、たとえば以下の各ステップを実行することにより、図６に示した状態遷移を実現する。図７において、カウント値Ｃｏｕｎｔ１は、高送信電力状態６１０においてビクティムＵＥを連続して不検出だった回数を示す。カウント値Ｃｏｕｎｔ２は、低送信電力状態６２０においてビクティムＵＥを連続して不検出だった回数を示す。
【００６７】
まず、フェムト基地局３３０は、カウント値Ｃｏｕｎｔ１を０に設定する（ステップＳ７０１）。つぎに、フェムト基地局３３０は、高送信電力状態６１０へ遷移する（ステップＳ７０２）。すなわち、フェムト基地局３３０は送信電力Ｐ＿ＴＸをＰ＿Ｈに設定する。つぎに、フェムト基地局３３０は、ビクティムＵＥを検出したか否かを判断する（ステップＳ７０３）。具体的には、フェムト基地局３３０は、最近のＮ回の比較において干渉電力が閾値を超えた回数に基づいて、ビクティムＵＥを検出したか否かを判断する。
【００６８】
ステップＳ７０３において、ビクティムＵＥを検出した場合（ステップＳ７０３：Ｙｅｓ）は、フェムト基地局３３０は、ステップＳ７０８へ移行して低送信電力状態６２０へ遷移する。ビクティムＵＥを検出していない場合（ステップＳ７０３：Ｎｏ）は、フェムト基地局３３０は、カウント値Ｃｏｕｎｔ１をインクリメント（プラス１）する（ステップＳ７０４）。
【００６９】
つぎに、フェムト基地局３３０は、カウント値Ｃｏｕｎｔ１が所定値Ｔ１に達したか否かを判断する（ステップＳ７０５）。すなわち、フェムト基地局３３０は、高送信電力状態６１０においてビクティムＵＥをＴ１、連続で不検出だったか否かを判断する。
【００７０】
ステップＳ７０５において、カウント値Ｃｏｕｎｔ１が所定値Ｔ１に達していない場合（ステップＳ７０５：Ｎｏ）は、フェムト基地局３３０は、ステップＳ７０３へ戻る。カウント値Ｃｏｕｎｔ１が所定値Ｔ１に達した場合（ステップＳ７０５：Ｙｅｓ）は、フェムト基地局３３０は、送信電力停止状態６３０へ遷移する（ステップＳ７０６）。
【００７１】
つぎに、フェムト基地局３３０は、ステップＳ７０６によって遷移した送信電力停止状態６３０においてビクティムＵＥを検出したか否かを判断する（ステップＳ７０７）。送信電力停止状態６３０においてビクティムＵＥを検出していない場合（ステップＳ７０７：Ｎｏ）は、実際にビクティムＵＥが存在しないと判断することができる。この場合は、フェムト基地局３３０は、ステップＳ７０１へ戻って高送信電力状態６１０へ遷移する。
【００７２】
ステップＳ７０７において、ビクティムＵＥを検出した場合（ステップＳ７０７：Ｙｅｓ）は、フェムト基地局３３０は、カウント値Ｃｏｕｎｔ２を０に設定する（ステップＳ７０８）。つぎに、フェムト基地局３３０は、低送信電力状態６２０へ遷移する（ステップＳ７０９）。すなわち、フェムト基地局３３０は、送信電力Ｐ＿ＴＸをＰ＿Ｌに設定する。
【００７３】
つぎに、フェムト基地局３３０は、ビクティムＵＥを検出したか否かを判断する（ステップＳ７１０）。ビクティムＵＥを検出した場合（ステップＳ７１０：Ｙｅｓ）は、フェムト基地局３３０は、ステップＳ７０８へ戻る。ビクティムＵＥを検出していない場合（ステップＳ７１０：Ｎｏ）は、フェムト基地局３３０は、カウント値Ｃｏｕｎｔ２をインクリメント（プラス１）する（ステップＳ７１１）。
【００７４】
つぎに、フェムト基地局３３０は、カウント値Ｃｏｕｎｔ２が所定値Ｔ２に達したか否かを判断する（ステップＳ７１２）。すなわち、フェムト基地局３３０は、低送信電力状態６２０においてビクティムＵＥをＴ２、連続で不検出だったか否かを判断する。カウント値Ｃｏｕｎｔ２が所定値Ｔ２に達していない場合（ステップＳ７１２：Ｎｏ）は、フェムト基地局３３０は、ステップＳ７１０へ戻る。
【００７５】
ステップＳ７１２において、カウント値Ｃｏｕｎｔ２が所定値Ｔ２に達した場合（ステップＳ７１２：Ｙｅｓ）は、フェムト基地局３３０は、ステップＳ７０１へ戻って高送信電力状態６１０へ遷移する。
【００７６】
このように、実施の形態１にかかる基地局１１０によれば、第二移動局１４０を検出した場合に送信電力を下げ、第二移動局１４０を長時間検出しない場合にも送信電力を一時的に下げることにより第二移動局１４０を検出しやすくすることができる。これにより、第二移動局１４０のスループットを向上させることができる。
【００７７】
（実施の形態２）
実施の形態２について、実施の形態１と異なる部分について説明する。
【００７８】
（フェムト基地局の状態遷移）
図８は、実施の形態２にかかるフェムト基地局の状態遷移の一例を示す図である。図８において、図６に示した部分と同様の部分については同一の符号を付して説明を省略する。図８の符号８１２に示すように、フェムト基地局３３０は、高送信電力状態６１０から定期的に送信電力停止状態６３０に遷移する。
【００７９】
フェムト基地局３３０が高送信電力状態６１０から送信電力停止状態６３０に遷移する周期は、たとえば、マクロＵＥ３２０が通信を行おうとする周期と互いに素となる周期とする。これにより、フェムト基地局３３０が送信電力停止状態６３０へ遷移したときにマクロＵＥ３２０が通信を行う確率が高くなり、マクロＵＥ３２０を検出しやすくなる。
【００８０】
このように、フェムト基地局３３０は、送信電力停止状態６３０へ遷移して送信電力を低下させる制御を定期的なタイミングで行う。フェムト基地局３３０が送信電力停止状態６３０へ遷移するタイミングの周期の長さは、マクロＵＥ３２０による無線通信の周期の長さと互いに素とする。マクロＵＥ３２０による無線通信の周期は、たとえばあらかじめフェムト基地局３３０のメモリに記憶されている。
【００８１】
（フェムト基地局の動作）
図９は、実施の形態２にかかるフェムト基地局の動作の一例を示すフローチャートである。実施の形態２にかかるフェムト基地局３３０は、たとえば以下の各ステップを実行することにより、図８に示した状態遷移を実現する。まず、フェムト基地局３３０は、高送信電力状態６１０へ遷移する（ステップＳ９０１）。すなわち、フェムト基地局３３０は送信電力Ｐ＿ＴＸをＰ＿Ｈに設定する。つぎに、フェムト基地局３３０は、ビクティムＵＥを検出したか否かを判断する（ステップＳ９０２）。
【００８２】
ステップＳ９０２において、ビクティムＵＥを検出した場合（ステップＳ９０２：Ｙｅｓ）は、フェムト基地局３３０は、ステップＳ９０６へ移行して低送信電力状態６２０へ遷移する。ビクティムＵＥを検出していない場合（ステップＳ９０２：Ｎｏ）は、フェムト基地局３３０は、停止タイミングになったか否かを判断する（ステップＳ９０３）。停止タイミングは、ステップＳ９０１によって高送信電力状態６１０へ遷移してから一定時間後のタイミングである。一定時間は、たとえばマクロＵＥ３２０が通信を行おうとする周期の長さと互いに素となる時間である。
【００８３】
ステップＳ９０３において、停止タイミングになっていない場合（ステップＳ９０３：Ｎｏ）は、フェムト基地局３３０は、ステップＳ９０２へ戻る。停止タイミングになった場合（ステップＳ９０３：Ｙｅｓ）は、フェムト基地局３３０は、ステップＳ９０４へ移行する。図９に示すステップＳ９０４〜Ｓ９１０は、図７に示したステップＳ７０６〜Ｓ７１２と同様である。以上の各ステップにより、フェムト基地局３３０は、ビクティムＵＥを検出しない間、定期的に送信電力停止状態６３０へ遷移することができる。
【００８４】
このように、実施の形態２にかかる基地局１１０によれば、第二移動局１４０を検出しない場合に定期的に送信電力を下げることで、実施の形態１にかかる基地局１１０と同様の効果を得ることができる。
【００８５】
（実施の形態３）
実施の形態３について、実施の形態１と異なる部分について説明する。
【００８６】
（フェムト基地局の状態遷移）
図１０は、実施の形態３にかかるフェムト基地局の状態遷移の一例を示す図である。図１０において、図６に示した部分と同様の部分については同一の符号を付して説明を省略する。図１０に示すように、フェムト基地局３３０は、高送信電力状態６１０、低送信電力状態６２０および送信電力停止状態６３０，１０１０に遷移可能である。
【００８７】
送信電力停止状態１０１０は、送信電力停止状態６３０と同様に、上述した第三状態に対応する状態である。低送信電力状態６２０におけるフェムト基地局３３０の送信電力を、送信電力Ｐ＿ＬにオフセットＰｏｆｆを加えたＰ＿Ｌ＋Ｐｏｆｆとする。
【００８８】
フェムト基地局３３０は、低送信電力状態６２０においてビクティムＵＥが所定回数以上連続して検出されなかった場合（連続不検出）に、符号１０２２に示すように送信電力停止状態１０１０へ遷移する。
【００８９】
送信電力停止状態１０１０においてビクティムＵＥが検出された場合は、低送信電力状態６２０での電力低下が不十分なためにビクティムＵＥが無線信号を送信できなかった可能性がある。このため、フェムト基地局３３０は、符号１０１１に示すように、オフセットＰｏｆｆを単位変化量ΔＰ１だけ小さくしてから低送信電力状態６２０へ戻る。これにより、フェムト基地局３３０からフェムトＵＥ３４０へのデータ信号を送信しつつ、送信電力を十分に低下させてビクティムＵＥを検出しやすくすることができる。
【００９０】
また、低送信電力状態６２０においてビクティムＵＥが検出された場合は、電力低下が十分であると判断することができる。このため、フェムト基地局３３０は、低送信電力状態６２０を維持しつつ、最大オフセット値Ｐｏｆｆ＿ｍａｘを上限として、オフセットＰｏｆｆを単位変化量ΔＰ２だけ大きくしてもよい。これにより、フェムト基地局３３０の送信電力を下げ過ぎてフェムトＵＥ３４０のスループットが低下することを回避することができる。
【００９１】
（フェムト基地局の動作）
図１１は、実施の形態３にかかるフェムト基地局の動作の一例を示すフローチャートである。実施の形態３にかかるフェムト基地局３３０は、たとえば以下の各ステップを実行することにより図１０に示した状態遷移を実現する。図１１において、カウント値Ｃｏｕｎｔ２は、低送信電力状態６２０においてビクティムＵＥを連続して不検出だった回数を示す。カウント値Ｃｏｕｎｔ３は、送信電力停止状態１０１０においてビクティムＵＥを連続して不検出だった回数を示す。図１１に示すステップＳ１１０１〜Ｓ１１０７は、図７に示したステップＳ７０１〜Ｓ７０７と同様である。
【００９２】
ステップＳ１１０７において、ビクティムＵＥを検出した場合（ステップＳ１１０７：Ｙｅｓ）は、フェムト基地局３３０は、オフセットＰｏｆｆを０、カウント値Ｃｏｕｎｔ２を０、カウント値Ｃｏｕｎｔ３を０に設定する（ステップＳ１１０８）。つぎに、フェムト基地局３３０は、低送信電力状態６２０へ遷移する（ステップＳ１１０９）。すなわち、フェムト基地局３３０は、送信電力Ｐ＿ＴＸをＰ＿Ｌ＋Ｐｏｆｆに設定する。Ｐｏｆｆの初期値は、たとえば０［ｄＢ］とする。
【００９３】
つぎに、フェムト基地局３３０は、ビクティムＵＥを検出したか否かを判断する（ステップＳ１１１０）。ビクティムＵＥを検出した場合（ステップＳ１１１０：Ｙｅｓ）は、フェムト基地局３３０は、オフセットＰｏｆｆに単位変化量ΔＰ２を加え（ステップＳ１１１１）、ステップＳ１１１０へ戻る。ビクティムＵＥを検出していない場合（ステップＳ１１１０：Ｎｏ）は、フェムト基地局３３０は、カウント値Ｃｏｕｎｔ２をインクリメント（プラス１）する（ステップＳ１１１２）。
【００９４】
つぎに、フェムト基地局３３０は、カウント値Ｃｏｕｎｔ２が所定値Ｔ２に達したか否かを判断する（ステップＳ１１１３）。すなわち、フェムト基地局３３０は、低送信電力状態６２０においてビクティムＵＥをＴ２、連続で不検出だったか否かを判断する。カウント値Ｃｏｕｎｔ２が所定値Ｔ２に達していない場合（ステップＳ１１１３：Ｎｏ）は、フェムト基地局３３０は、ステップＳ１１１０へ戻る。
【００９５】
ステップＳ１１１３において、カウント値Ｃｏｕｎｔ２が所定値Ｔ２に達した場合（ステップＳ１１１３：Ｙｅｓ）は、フェムト基地局３３０は、送信電力停止状態１０１０へ遷移する（ステップＳ１１１４）。つぎに、フェムト基地局３３０は、ステップＳ１１１４によって遷移した送信電力停止状態１０１０でビクティムＵＥを検出したか否かを判断する（ステップＳ１１１５）。
【００９６】
ステップＳ１１１５においてビクティムＵＥを検出した場合（ステップＳ１１１５：Ｙｅｓ）は、フェムト基地局３３０は、オフセットＰｏｆｆを単位変化量ΔＰ１だけ低下させ（ステップＳ１１１６）、ステップＳ１１１０へ戻る。ビクティムＵＥを検出していない場合（ステップＳ１１１５：Ｎｏ）は、実際にビクティムＵＥが存在しないと判断することができる。この場合は、フェムト基地局３３０は、カウント値Ｃｏｕｎｔ３をインクリメント（プラス１）する（ステップＳ１１１７）。
【００９７】
つぎに、フェムト基地局３３０は、カウント値Ｃｏｕｎｔ３が所定値Ｔ３に達したか否かを判断する（ステップＳ１１１８）。すなわち、フェムト基地局３３０は、送信電力停止状態１０１０においてビクティムＵＥをＴ３、連続で不検出だったか否かを判断する。カウント値Ｃｏｕｎｔ３が所定値Ｔ３に達していない場合（ステップＳ１１１８：Ｎｏ）は、フェムト基地局３３０は、ステップＳ１１１０へ戻る。カウント値Ｃｏｕｎｔ３が所定値Ｔ３に達した場合（ステップＳ１１１８：Ｙｅｓ）は、フェムト基地局３３０は、ステップＳ１１０１へ戻って高送信電力状態６１０へ遷移する。
【００９８】
このように、実施の形態３にかかる基地局１１０によれば、第二状態（低送信電力状態６２０）において第二移動局１４０が所定期間以上検出されなかった場合に、第三状態（送信電力停止状態１０１０）へ遷移する。これにより、第二状態の低い送信電力による干渉でも第二移動局１４０が検出できない場合において、第二移動局１４０を検出することができる。
【００９９】
また、基地局１１０は、第二状態から遷移した第三状態（送信電力停止状態１０１０）において第二移動局１４０が検出された場合は、第二送信電力（Ｐ＿Ｌ＋Ｐｏｆｆ）を低下させて第二状態へ遷移する。これにより、基地局１１０から第一移動局１２０へのデータ信号を送信しつつ、送信電力をさらに低下させてビクティムＵＥを検出しやすくすることができる。
【０１００】
また、基地局１１０は、第二状態において第二移動局１４０が検出された場合は、第二状態を維持しつつ、第二送信電力（Ｐ＿Ｌ＋Ｐｏｆｆ）を増加させてもよい。これにより、基地局１１０の送信電力を下げ過ぎて第一移動局１２０のスループットが低下することを回避することができる。
【０１０１】
以上説明したように、基地局、通信システムおよび通信方法によれば、ビクティムＵＥを検出した場合に基地局の送信電力を下げるとともに、ビクティムＵＥを長時間検出しない場合に基地局の送信電力を一時的に下げることができる。これにより、ビクティムＵＥを検出しやすくし、ビクティムＵＥへの干渉を低減することができる。
【０１０２】
上述した各実施の形態に関し、さらに以下の付記を開示する。
【０１０３】
（付記１）自局との間で無線通信を行う第一移動局への無線信号を送信する送信部と、
無線信号を受信する受信部と、
前記送信部によって送信される無線信号により干渉を受ける無線通信を自局とは異なる通信装置との間で行う第二移動局を、前記受信部によって受信された無線信号に含まれる前記第二移動局からの無線信号に基づいて検出する検出部と、
前記検出部によって前記第二移動局が検出された場合と、前記検出部によって前記第二移動局が所定期間以上検出されなかった場合と、に前記送信部による無線信号の送信電力を低下させる制御を行う制御部と、
を備えることを特徴とする基地局。
【０１０４】
（付記２）前記制御部は、
前記第一移動局への無線信号を第一送信電力によって送信する第一状態において前記第二移動局が検出された場合に、前記第一移動局への無線信号を前記第一送信電力より低い第二送信電力によって送信する第二状態へ遷移し、
前記第一状態において前記第二移動局が前記所定期間以上検出されなかった場合に、前記第一移動局へのデータ信号の送信を停止する第三状態へ遷移することを特徴とする付記１に記載の基地局。
【０１０５】
（付記３）前記制御部は、
前記第三状態において前記第二移動局が検出された場合に前記第二状態へ遷移し、
前記第三状態において前記第二移動局が検出されなかった場合に前記第一状態へ遷移することを特徴とする付記２に記載の基地局。
【０１０６】
（付記４）前記制御部は、前記第二状態において前記第二移動局が所定期間以上検出されなかった場合に前記第一状態へ遷移することを特徴とする付記２または３に記載の基地局。
【０１０７】
（付記５）前記制御部は、前記第三状態において、前記第一移動局へのデータ信号以外の無線信号を送信することを特徴とする付記２〜４のいずれか一つに記載の基地局。
【０１０８】
（付記６）前記制御部は、前記第三状態において、前記第一移動局へのデータ信号の送信を間欠的に送信することを特徴とする付記２〜５のいずれか一つに記載の基地局。
【０１０９】
（付記７）前記制御部は、前記第三状態において、前記第一移動局への無線リソースの割り当てを停止することによって前記第一移動局へのデータ信号の送信を停止することを特徴とする付記２〜６のいずれか一つに記載の基地局。
【０１１０】
（付記８）前記制御部は、前記第一状態において前記第二移動局の検出を繰り返し行い、前記第二移動局が連続して所定回数検出されなかった場合に前記送信電力を低下させる制御を行うことを特徴とする付記２〜７のいずれか一つに記載の基地局。
【０１１１】
（付記９）前記制御部は、前記第一状態において前記送信電力を低下させる制御を定期的なタイミングで行うことを特徴とする付記２〜７のいずれか一つに記載の基地局。
【０１１２】
（付記１０）前記タイミングの周期の長さは、前記第二移動局による無線通信の周期の長さと互いに素であることを特徴とする付記９に記載の基地局。
【０１１３】
（付記１１）前記制御部は、前記第二状態において前記第二移動局が所定期間以上検出されなかった場合に前記第三状態へ遷移することを特徴とする付記２に記載の基地局。
【０１１４】
（付記１２）前記制御部は、前記第二状態から遷移した前記第三状態において前記第二移動局が検出された場合は、前記第二送信電力を低下させて前記第二状態へ遷移することを特徴とする付記１１に記載の基地局。
【０１１５】
（付記１３）前記制御部は、前記第二状態において前記第二移動局が検出された場合は前記第二送信電力を増加させることを特徴とする付記１１または１２に記載の基地局。
【０１１６】
（付記１４）前記第二移動局は、自局との間で無線通信ができない移動局であることを特徴とする付記１〜１３のいずれか一つに記載の基地局。
【０１１７】
（付記１５）前記検出部は、前記受信部によって受信された無線信号における上り無線信号の干渉電力に基づいて前記第二移動局を検出することを特徴とする付記１〜１４のいずれか一つに記載の基地局。
【０１１８】
（付記１６）前記検出部は、複数回の前記干渉電力の測定において前記干渉電力の測定結果が閾値を超えた回数に基づいて前記第二移動局を検出することを特徴とする付記１５に記載の基地局。
【０１１９】
（付記１７）第一移動局と、
前記第一移動局との間で無線通信を行い、前記第一移動局への無線信号を送信する基地局と、
前記基地局によって送信された前記第一移動局への無線信号により干渉を受ける無線通信を、前記基地局とは異なる通信装置との間で行う第二移動局と、
を含み、
前記基地局は、受信した無線信号に含まれる前記第二移動局からの無線信号に基づいて前記第二移動局を検出し、前記第二移動局を検出した場合と、前記第二移動局を所定期間以上検出しなかった場合と、に前記第一移動局への無線信号の送信電力を低下させる制御を行うことを特徴とする通信システム。
【０１２０】
（付記１８）第一移動局と、前記第一移動局との間で無線通信を行い、前記第一移動局への無線信号を送信する基地局と、前記基地局によって送信された前記第一移動局への無線信号により干渉を受ける無線通信を前記基地局とは異なる通信装置との間で行う第二移動局と、を含む通信システムの通信方法において、
前記基地局が、受信した無線信号に含まれる前記第二移動局からの無線信号に基づいて前記第二移動局を検出し、
前記基地局が、前記第二移動局を検出した場合と、前記第二移動局を所定期間以上検出しなかった場合と、に前記第一移動局への無線信号の送信電力を低下させる制御を行うことを特徴とする通信方法。
【符号の説明】
【０１２１】
１００，３００  通信システム
１１０，１３０  基地局
１１１  送信部
１１２  受信部
１１３  検出部
１１４  制御部
１２０  第一移動局
１４０  第二移動局
２００  情報処理装置
２０９  バス
３１０  マクロ基地局
３１１  マクロセル
３１２  信号受信
３２０  マクロＵＥ
３３０  フェムト基地局
３３１  フェムトセル
３３２  干渉
３４０  フェムトＵＥ
４１０，４２０  フレームフォーマット
４２１  制御チャネル
４２２  データチャネル
５０１  受信アンテナ
５０２  受信機
５０３  上りデータ復調復号部
５０４  上位レイヤ処理部
５０５  下りデータ符号化変調部
５０６  上り干渉電力測定部
５０７  判定部
５０８  状態遷移管理部
５０９  送信電力決定部
５１０  下り信号送信部
５１１  送信機
５１２  送信アンテナ
６１０  高送信電力状態
６２０  低送信電力状態
６３０，１０１０  送信電力停止状態
【図１】
0005861471.tif 000002
【図２】
0005861471.tif 000003
【図３】
0005861471.tif 000004
【図４−１】
0005861471.tif 000005
【図４−２】
0005861471.tif 000006
【図５】
0005861471.tif 000007
【図６】
0005861471.tif 000008
【図７】
0005861471.tif 000009
【図８】
0005861471.tif 000010
【図９】
0005861471.tif 000011
【図１０】
0005861471.tif 000012
【図１１】
0005861471.tif 000013